(57)【要約】【課題】   既存のヒーター加熱式の給湯器を容易にヒートポンプ式給湯器に換えることができるアタッチメント構造を提供する。【解決手段】   貯湯タンクに電熱ヒーターを備えたヒーター加熱式給湯器において、前記タンクの電熱ヒーターホルダにヒートポンプユニットからの熱を導入する熱導入パイプ付属ホルダを設け、貯湯タンク内のヒートポンプユニットからの熱導入パイプの高熱導入口側を低熱排出口側よりも高位置に設けることによって湯温度低下が防止を防止し、貯湯タンク内のヒートポンプユニットからの熱導入パイプを低熱伝導構造にする。【選択図】図１
2013133979.tif 000002
【特許請求の範囲】
【請求項１】
貯湯タンクに電熱ヒーターを備えたヒーター加熱式給湯器において、前記タンクの電熱ヒーターホルダにヒートポンプユニットからの熱を導入する熱導入パイプ付属ホルダを設けたことを特徴とする給湯器のアタッチメント構造。
【請求項２】
貯湯タンク内のヒートポンプユニットからの熱水導入パイプの高熱水導入口側を低温排出口側よりも高位に設けられていることを特徴とする請求項１に記載の給湯器のアタッチメント構造。
【請求項３】
貯湯タンク内のヒートポンプユニットからの熱水導入パイプが低熱伝導構造であることを特徴とする請求項１又は請求項２に記載の給湯器のアタッチメント構造。
【請求項４】
貯湯タンク内の水のヒートポンプユニットへの帰りパイプを低温水の取り出し口E側または低温給入口１３側と連結したことを特徴とする請求項１又は請求項２または請求項３に記載の給湯器のアタッチメント構造。
【発明の詳細な説明】
【技術分野】
【０００１】
本発明は、貯湯タンクを備えたヒーター加熱式の給湯器（給湯機、温水器等）を容易にヒートポンプ式給湯器に換えることができる給湯器のアタッチメント構造に関するものである。
【背景技術】
【０００２】
住宅等における給湯設備としてヒーター加熱式の給湯器が一般に普及している。これはタンク内にヒーターを設けて電源から供給される電気により水が温められる簡単な構造である。温水は対流の関係からタンク上部から取り出される構造が殆どである。ヒーター加熱式以外にも加熱源の種類によって水を温めるための構造が異なるが、概ねタンクの下部から加熱されて高温になった湯水が上部に貯まるようになっている。
【０００３】
一般に普及しているヒーター加熱式の給湯器が故障したとか、ほぼ２０年の耐用年数を経過した場合や、電気料金が高い等の理由で給湯器全体を交換しなければならない事情が発生する。その場合、大きなタンクを備えた給湯器全体を撤去する必要がある。しかし、給湯器の処分は容易ではない。その理由は大きなタンクがステンレス製であったり、ケーシングや付属品、配管類が鉄、プラスチック、保温材等の各種素材からなり、処分が容易にできないし、費用がかかるなどの難点があった。
【０００４】
一般に使用電気料金が高いヒーター加熱式の各種機器は、深夜料金中に稼動させるとか、ヒートポンプ式に切り替えることによって時間帯によって使用電気料金を減らす努力が過去になされている。給湯器においても例えば特開2006-46773号にみられる。しかし、住宅における給湯設備としてはタンク内にヒーター加熱のための設備に加え、ヒートポンプからの循環路を加えるなどコスト高となる問題があった。
【０００５】
この改善策として、時間帯によって使用電気量を減らす努力がなされるほど、装置は複雑になり、さらに大きくなったり、高価になり、制御も複雑になる。
【先行技術文献】
【特許文献】
【０００６】
【特許文献１】特開２００６−４６７７３号公報
【発明の概要】
【発明が解決しようとする課題】
【０００７】
解決しようとする問題点は、既存のヒーター加熱式の給湯器を容易にヒートポンプ式給湯器に換えることができるアタッチメントを提供する点である。
【課題を解決するための手段】
【０００８】
本発明は、貯湯タンクに電熱ヒーターを備えたヒーター加熱式給湯器において、前記タンクの電熱ヒーターホルダにヒートポンプユニットからの熱水を導入する熱水導入パイプ付属ホルダを設けたことを最も主要な特徴とする。ここにいう熱水導入パイプ付属ホルダとは、従来から使用されていた電熱ヒーターホルダに改良を加えて、従来の貯湯タンクにヒートポンプユニットからの熱水を導入することを可能にするパイプを保持するもので、タンク内外の取り付けフランジ等電熱ヒーターホルダサイズと同寸にすることが好ましい。
【０００９】
貯湯タンク内のヒートポンプユニットからの熱水導入パイプの高熱水導入口側を低温排出口側よりも高位置に設けることによって温水取り出し口付近までの湯温度低下が防止される。
【００１０】
更に、貯湯タンク内のヒートポンプユニットからの熱導入パイプを低熱伝導構造にする。ここにいう低熱伝導構造にするとは、せっかく高温でタンク内に入ったヒートポンプユニットからの熱が貯湯タンク内の底部の低温領域で奪われることを防ぐためである。低熱伝導構造にする必要性が特に高い部位としてはタンク内底部の低温域内が特に適しているが、構造としては熱が伝わり難い断熱材、例えば複層の合成樹脂、独立気泡を有する発泡体等が好ましく、単に低熱伝導度の合成樹脂パイプでもよい。
【発明の効果】
【００１１】
本発明のアタッチメント構造は、貯湯タンクを備えたヒーター加熱式の給湯器を貯湯タンクに改造を加えることなく簡単にヒートポンプ式給湯器に換えることができる。すなわち、ヒーター加熱式の給湯器のヒーターを取り付けているフランジをヒートポンプ式給湯器の配管に容易に接続することを可能にしたことにある、これによって給湯器の使用電気量を約３分の１の使用量へと大幅に減らすことができる。
【００１２】
ヒートポンプユニットからの熱水導入パイプの高熱水導入口側を低温排出口側よりも高位置に設け、更に、貯湯タンク内のヒートポンプユニットからの熱導入パイプを低熱伝導構造にすることなどによって、タンク下部の低温域を熱水が通過するときに熱交換することを防いで特に高温域の熱損失を防止できるという利点がある。
【図面の簡単な説明】
【００１３】
【図１】図１は本発明の給湯器のアタッチメント構造の実施例１を示した説明図である。
【図２】図２は本発明のアタッチメント構造のうちヒーター加熱式の給湯器のヒーターを取り付けているフランジをヒートポンプ式給湯器の配管に接続するフランジの説明図である。
【図３】本発明のアタッチメント構造を装着した給湯器の斜視図である。
【図４】本発明の給湯器のアタッチメント構造の実施例２を示した説明図である。
【図５】本発明の給湯器のアタッチメント構造の実施例３を示した説明図である。
【図６】本発明の給湯器のアタッチメント構造の実施例４を示した説明図である。
【発明を実施するための形態】
【００１４】
ヒーター加熱式の給湯器を容易にヒートポンプ式給湯器に換えるという目的を、タンクの電熱ヒーターホルダにヒートポンプユニットからの熱水を導入する熱水導入パイプ付属ホルダを設けるといった最小の部品点数で、かつ、省資源化に実現している。
【００１５】
図１は、本発明装置の給湯器のアタッチメント構造の実施例１を示しており、貯湯タンクに電熱ヒーターを備えたヒーター加熱式給湯器において、前記タンクの電熱ヒーターホルダＡにヒートポンプユニットHPUからの熱水を導入する熱水導入パイプ付属ホルダＨを設けたことを最も主要な特徴とする。
【００１６】
ヒートポンプユニットHPUはヒートポンプＨＰに熱変換装置ＨＣを備えた従来公知のものを使用でき、本発明の主体はヒーター加熱式の給湯器のヒーターを取り付けているフランジＡをヒートポンプ式給湯器の配管に容易に接続することを可能にしたことにあるので、ヒートポンプユニットHPUの詳細な説明は省略する。
【００１７】
貯湯タンクＴ内のヒートポンプユニットからの熱水導入パイプＧの高熱水導入口側ＨＷを低温水排出口側ＬＷよりも高位置に設けることによって温水取り出し口Ｄ側の湯温度低下が防止される。貯湯タンク内の水のヒートポンプユニットへの帰りパイプを低温水の取り出し口E側と連結してもよい。また図５にみられるように減圧弁１１とタンクTの間からも低温水をヒートポンプユニットへ返すことも出来る。
そうすれば、フランジAの径が小さくとも高温水をタンク内に導入することが出来る。
【００１８】
更に、貯湯タンクＴ内のヒートポンプユニットからの熱水導入パイプＧを低熱伝導構造にする。ここにいう低熱伝導構造にするとは、せっかく高温でタンク内に入ったヒートポンプユニットからの熱が貯湯タンク内の底部の低温領域で奪われることを防ぐためである。低熱伝導構造にする必要性が特に高い部位としてはタンク内底部の低温域内が特に適しているが、構造としては熱が伝わり難い断熱材Ｆ、例えば複層の合成樹脂、独立気泡を有する発泡体等が好ましく、単に低熱伝導度の合成樹脂パイプでもよい。また、このパイプは
角度を自由に変えられるようにしても良い。
【００１９】
なお、熱水導入パイプＧは図１のように貯湯タンクＴ内の上部に至る長尺ものであっても、また、図４のように短いものであってもよい。図面中に示すＢはヒートポンプユニットHPUとの接続用ネジ山も有する湯側ＨＷフランジを貫通して取り付ける為のネジ山付パイプである。Ｃは低温水ＬＷ側フランジを貫通して取り付ける為のネジ山付パイプである。Ｅは低温水の取り出し口である。ＪはフランジＡの取り付け孔である。Ｈは熱水導入パイプ付属ホルダのナットである。
【符号の説明】
【００２０】
ＨＰＵ  ヒートポンプユニット
Ｈ    ヒートポンプユニットからの熱水を導入する熱水導入パイプ付属ホルダ
Ａ    フランジ
Ｂ    湯側フランジを貫通して取り付ける為のネジ山付パイプ
Ｃ    低温水側フランジを貫通して取り付ける為のネジ山付パイプ    
Ｆ    断熱材
Ｔ    貯湯タンク
１０  安全弁
１１  減圧弁
１２  給水バルブ
【図１】
2013133979.tif 000003
【図２】
2013133979.tif 000004
【図３】
2013133979.tif 000005
【図４】
2013133979.tif 000006
【図５】
2013133979.tif 000007
【図６】
2013133979.tif 000008
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
貯湯タンクの水の加熱を、電気を用いて加熱する加熱給湯器において、前記タンクの電熱ヒーターホルダに電熱ヒーターに代わるヒートポンプユニットからの熱水を導入する熱水導入パイプ付属ホルダを設けたことを特徴とする給湯器のアタッチメント構造。
【請求項２】
貯湯タンク内のヒートポンプユニットからの熱水導入パイプの高熱水導入口側と低温排出口側を設けられていることを特徴とする請求項１に記載の給湯器のアタッチメント構造。
【請求項３】
貯湯タンク内のヒートポンプユニットからの熱水導入パイプに断熱材を用いたことを特徴とする請求項１又は請求項２に記載の給湯器のアタッチメント構造。
【手続補正２】
【補正対象書類名】明細書
【補正対象項目名】００１０
【補正方法】変更
【補正の内容】
【００１０】
更に、貯湯タンク内のヒートポンプユニットからの熱水導入パイプを断熱材にする。ここにいう断熱材にするとは、せっかく高温でタンク内に入ったヒートポンプユニットからの熱が貯湯タンク内の底部の低温領域で奪われることを防ぐためである。断熱材にする必要性が特に高い部位としてはタンク内底部の低温域内が特に適しているが、構造としては熱が伝わり難い断熱材、例えば複層の合成樹脂、独立気泡を有する発泡体等が好ましく、単に低熱伝導度の合成樹脂パイプでもよい。